(57)【要約】【目的】データのフォーマットを大幅に変更することなく、データ中のかなりの部分を小型の表示ユニット上に表示させる。【構成】本発明は受信機（３）、伝送媒体（２）を介して受信機（３）へ情報信号を伝送する送信機（１）、並びに伝送媒体が記録担体の場合に情報信号を記録担体に記録する記録装置、及び情報信号を再生する再生装置に関する。該情報信号は主データと副データとを含み、副データはコード化されたテキスト行を含む。受信機（３）には該テキスト行中の文字を表示する文字表示ユニット（１０）が設けられ、該表示ユニットの文字表示位置の数はテキスト行中の文字コードの数より少ない。受信機にはテキスト行中の文字の表示をテキスト行中の制御コードに応じて制御する表示制御ユニット（９）が設けられる。本発明は携帯型プレーヤ、カーラジオ叉はリモートコントローラ等の表示器用空間の少ない小型の受信機に好適である。【選択図】　図１
2004129214.tif 000002
【特許請求の範囲】
【請求項１】
情報信号が主データと副データとを含み、この副データが複数の文字コードを持つコード化されたテキスト行を含み、前記のコード化されたテキスト行が制御コードを含む、前記情報信号を記録担体に記録する記録装置において、再生装置の文字表示ユニットに表示されるべき文字に対応する文字コードを選択する制御コード及び前記コード化されたテキスト行を有する前記副データ用の情報源を有することを特徴とする、記録装置。
【請求項２】
情報信号が主データと副データとを含み、この副データが複数の文字コードを持つコード化されたテキスト行を含み、前記のコード化されたテキスト行が制御コードを含む、前記情報信号を記録担体から再生する再生装置であって、前記のコード化されたテキスト行内の文字コードにより規定される文字を表示する文字表示ユニットを有する再生装置において、前記制御コードに応じて、前記文字表示ユニットに表示されるべき文字に対応する文字コードを選択するための表示制御手段を有することを特徴とする、再生装置。
【請求項３】
主データと複数の文字コードを持つコード化されたテキスト行及び制御コードを有する副データとを含む情報信号を、伝送媒体を介して受信機に伝送する送信機と、上記のコード化されたテキスト行内の文字コードにより規定される文字を表示する文字表示ユニットを有する前記受信機とを有する情報伝送システムに使用される送信機において、前記文字表示ユニットに表示されるべき文字に対応する文字コードを選択する制御コード及び前記コード化されたテキスト行を有する前記副データ用の情報源を有することを特徴とする、送信機。
【請求項４】
受信機と、伝送媒体を介して情報信号を上記受信機に伝送する送信機とを有するような情報伝送システムであって、前記情報信号が主データと副データとを含み、この副データが複数の文字コードを持つコード化されたテキスト行を含み、前記受信機には上記のコード化されたテキスト行内の文字コードにより規定される文字を表示する文字表示ユニットが設けられ、該表示ユニットが所定数の文字表示位置を有するような情報伝送システムに使用される送信機であって、情報信号を伝送媒体に伝送する手段が設けられた送信機において、前記のコード化されたテキスト行はこのコード化されたテキスト行を表す文字の前記文字表示ユニット上での表示を制御する制御コードを含み、該文字表示ユニットの文字位置の数が前記のコード化されたテキスト行における文字数よりも少ないことを特徴とする送信機。
【請求項５】
請求項３又は４に記載の送信機において、前記制御コードが前記のコード化されたテキスト行を表す文字の水平スクロールを制御するための水平スクロール制御コードを含んでいることを特徴とする送信機。
【請求項６】
請求項５に記載の送信機において、前記制御コードが前記水平スクロールの速度を制御するコードを含んでいることを特徴とする送信機。
【請求項７】
請求項３ないし請求項６の何れか一項に記載の送信機において、前記制御コードが限られた数の表示位置しか持たない前記表示ユニット上に表示されるべき文字群に目印を付けるためのマーキングコードを含んでいることを特徴とする送信機。
【請求項８】
請求項７に記載の送信機において、前記マーキングコードが前記の目印を付された文字群に先行する開始コードと、この目印を付された文字群に後続するポーズコードとを含んでいることを特徴とする送信機。
【請求項９】
請求項３ないし請求項８の何れか一項に記載の送信機において、前記副データがテキストパケットを含み、各テキストパケットはコード化されたテキスト行と付加的な制御コードとを含み、前記テキストパケットの一部は対応するテキストパケットが限られた数の表示位置しか持たない表示ユニット上に表示されるべきテキスト情報を持つコード化されたテキスト行を含むことを示す指示制御コードを含むことを特徴とする送信機。
【請求項１０】
主データと複数の文字コードを持つコード化されたテキスト行及び制御コードを有する副データとを含む情報信号を、伝送媒体を介して受信機に伝送する送信機と、上記のコード化されたテキスト行内の文字コードにより規定される文字を表示する文字表示ユニットを有する前記受信機とを有する情報伝送システムに使用される受信機において、前記制御コードに応じて前記文字表示ユニットに表示されるべき文字に対応する文字コードを選択する処理ユニットを有することを特徴とする、受信機。
【請求項１１】
受信機と、伝送媒体を介して情報信号を上記受信機に伝送する送信機とを有するような情報伝送システムであって、前記情報信号が主データと副データとを含み、この副データが複数の文字コードを持つコード化されたテキスト行を含み、前記受信機には上記のコード化されたテキスト行内の文字コードにより規定される文字を表示する文字表示ユニットが設けられ、該表示ユニットが所定数の文字表示位置を有するような情報伝送システムに記載の情報伝送システムに使用される受信機であって、伝送媒体から情報信号を受信する手段が設けられたような受信機において、前記文字表示ユニットが複数の文字位置を有し、これら文字位置の数が前記のコード化されたテキスト行における文字コードの数よりも少なく、当該受信機には前記文字コードに対応する文字の表示を前記のコード化されたテキスト行に含まれる制御コードに応じて制御する表示制御手段が設けられていることを特徴とする受信機。
【請求項１２】
請求項１０又は１１に記載の受信機において、受信された前記のコード化されたテキスト行をメモリに記憶する手段が設けられ、前記制御コードが水平スクロール制御コードを含み、前記表示制御手段が前記水平スクロール制御コードに応じて前記メモリに記憶された前記のコード化されたテキスト行における文字の水平スクロールを開始するように構成されていることを特徴とする受信機。
【請求項１３】
請求項１２に記載の受信機において、スクロール命令を手動で入力するための入力手段が設けられ、前記表示制御手段が前記水平スクロールをこれらの入力されたスクロール命令に応じて制御するように構成されていることを特徴とする受信機。
【請求項１４】
請求項１２又は１３に記載の受信機において、前記表示制御手段が前記文字を前記水平スクロール制御コードか叉は前記の入力されたスクロール命令に応じた速度でスクロールさせるように構成されていることを特徴とする受信機。
【請求項１５】
請求項１０ないし請求項１４の何れか一項に記載の受信機において、前記表示制御手段には前記のコード化されたテキスト行に含まれるマーキングコードにより目印を付された文字群のみを表示する手段が設けられていることを特徴とする受信機。
【請求項１６】
請求項１５に記載の受信機において、前記表示制御手段が前記の目印を付された文字群に先行する開始コードと、この目印を付された文字群に後続するポーズコードとの間の文字群を表示させるように構成されていることを特徴とする受信機。
【請求項１７】
請求項１６に記載の受信機において、前記表示制御手段が前記ポーズコードに応答してスペース型の文字を表示させ、前記開始コードに対しては対応する文字を表示させないように構成されていることを特徴とする受信機。
【請求項１８】
請求項１０ないし請求項１７の何れか一項に記載の受信機であって、コード化されたテキスト行と付加的な制御コードとを含むテキストパケットを有するような副データを受信する受信機において、対応するパケットが限られた数の表示位置しか持たない表示ユニット上に表示することを意図していることを示すような指示制御コードを持つテキストパケットを前もって選択する手段が設けられ、且つこれらの前もって選択されたテキストパケットのみを前記表示制御手段に供給する手段が設けられていることを特徴とする受信機。
【発明の詳細な説明】
【０００１】
【産業上の利用分野】
本発明は、受信機と、伝送媒体を介して情報信号を上記受信機に送信する送信機とを有するような情報伝送システムに関する。更に詳述すると、本発明は上記のような情報伝送システムであって、前記情報信号が主データと副データとを含み、この副データが複数の文字コードを持つコード化されたテキスト行（コード化テキスト行）を含み、前記受信機には上記のコード化テキスト行内の文字コードにより規定される文字を表示する文字表示ユニットが設けられ、該表示ユニットが所定数の文字表示位置を有するような情報伝送システムに関する。
【０００２】
また、本発明は上記のようなシステムに使用される送信機、受信機、記録担体、並びに伝送媒体が記録担体の場合に情報信号を記録担体に記録するための記録装置、及び情報信号を再生するための再生装置にも関する。伝送媒体が記録担体の場合は、送信機は記録装置に、受信機は再生装置に対応する。
【０００３】
【従来の技術】
上述したようなシステムは例えばヨーロッパ特許出願公開第ＥＰ−Ａ−０３２５３２５号から既知である。この特許出願公開公報には、情報信号が例えばコンパクトディスク叉はデジタルオーディオテープのような記録担体を介してオーディオプレーヤに伝送されるようなシステムが記載されている。このプレーヤには、伝送された副データ中に含まれるコード化テキスト行により規定されるテキスト行を表示する少なくとも１つの複数行表示ユニットが設けられている。当該表示ユニットの文字位置の数（桁）は、４０文字分のテキスト行全体を表示するに充分である。このシステムによれば、再生された主（オーディオ）情報に関する付加的な情報を表示することも可能である。
【０００４】
ライン全体を表示する表示ユニットは、携帯用プレーヤ或いはカーラジオのような小型の受信機がシステムに使用されるような場合には、あまり適していない。何故なら、通常そのような全ライン表示ユニットに対する充分なスペースが無いからである。また、全ライン表示ユニットは受信機のリモートコントローラに使用するのにもあまり適していない。他方、上記のような形式の受信機及びリモートコントローラには再生された主情報に関する付加的な情報を表示することができるのが好ましい。
【０００５】
従って、本発明の目的は小型の受信機叉はリモートコントローラ上の表示ユニットに、副データのフォーマットの広範囲な補正を必要とすることなく、当該副データ中のテキスト情報のかなりの部分を表示することを可能にするような手段を提供することにある。
【０００６】
【発明の目的及び概要】
本発明によれば、上記目的は、本明細書の冒頭で述べたようなシステムにおいて、前記文字表示ユニットにおける文字表示位置の数が前記のコード化されたテキスト行における文字コードの数より少なく、前記のコード化されたテキスト行が制御コードを含み、前記受信機には前記のコード化されたテキスト行に含まれる文字コードに対応する文字の表示をこれら制御コードに応じて制御する表示制御手段が設けられることを特徴とすることによって達成される。
【０００７】
本発明によるシステムにおいては、副データのコード化テキスト行中に既に存在する全行表示ユニット上に表示するための情報を、限られた表示位置しか持たない小型の表示ユニット上に表示するためにも使用することができる。この構成は、限られた桁数の１行表示器と組み合わせて専用に使用するようなコード化データを前記副データに付加する必要がないという利点を有している。
【０００８】
本システムの一実施例は、前記受信機が受信された前記のコード化されたテキスト行をメモリに記憶するための手段を有し、前記制御コードが水平スクロール制御コードを含み、前記受信機における表示制御手段が水平スクロール制御コードに応答して前記メモリに記憶されたコード化されたテキスト行の文字の水平スクロールを開始するように構成されていることを特徴としている。
【０００９】
上記のように、メモリとスクロール機能との組み合わせにより、テキスト行全体の内容を表示することが可能となる。
【００１０】
本システムの他の実施例は、前記受信機に手動によりスクロール命令を入力する入力手段が設けられ、前記表示制御手段が前記水平スクロールをこれらの入力されたスクロール命令に応じて制御するように構成されていることを特徴としている。
【００１１】
この実施例は、ユーザが必要と思った時にメモリに記憶されたテキスト行のスクロールをユーザ自身で開始することができるという利点を有している。
【００１２】
本発明によるシステムの更に他の実施例は、表示制御手段が前記スクロール制御コード叉は入力されたスクロール命令に応じた速度で文字をスクロールするように構成されていることを特徴としている。
【００１３】
この実施例によれば、スクロールの速度を特定の状況に合わせることが可能である。
【００１４】
本発明によるシステムの更に他の実施例は、前記制御コードが文字群に目印を付すためのマーキングコードを含み、前記表示制御手段には対応する文字が表示されるべき文字コードをこれらマーキングコードに基づいて選択する手段が設けられていることを特徴としている。
【００１５】
この実施例によれば、メッセージ中の最も重要な語のみを表示器上に表示させることが可能である。好ましくは、表示されるべき文字群（文字列）を開始コードとポーズコードとの間に配置する。この場合、前記表示制御手段がポーズコードに応答してスペース型の文字を表示させ、開始コードに対しては文字を表示させないように構成されたシステムを使用するのが好適である。
【００１６】
上記実施例によれば、コード化されたテキスト行により規定されるメッセージにおける連続してない文字列を表示器上で適切に分離することが可能である。
【００１７】
本発明によるシステムの更に他の実施例は、前記副データがテキストパケットを含み、各テキストパケットがコード化されたテキスト行と付加的な制御コードとを含み、前記テキストパケットの一部は対応するテキストパケットが限られた表示位置しか持たない表示ユニット上に表示されるべきテキスト情報を持つコード化されたテキスト行を含むことを示す指示制御コードを含み、前記受信機には前記指示制御コードを持つテキストパケットを前もって選択する手段と、これらの選択されたテキストパケットのみを前記表示制御手段に供給する手段とが設けられていることを特徴としている。
【００１８】
この実施例によれば、上記の前もった選択を利用することにより前記表示制御手段が１行表示器上に表示すべき文字を含まないようなパケット内での不要なサーチを防止することが可能となる。
【００１９】
【実施例】
図１は、例示として、本発明による情報伝送システムの一実施例を示している。このシステムは、伝送媒体２を介して受信機３に情報信号を伝送する送信機１を有している。上記送信機１は例えばデジタルオーディオ情報のような主データ用の通常の情報源４を有している。送信機１は、更に、上記主データに関係する副データ用の情報源５を有している。この場合、上記副データはコード化されたテキスト行（以下、コード化テキスト行と呼ぶ）と付加的な制御コードとを有している。上記主データ及び副データは出力段６に供給され、該出力段は前記主データ及び副データを適切な信号フォーマットで伝送媒体２に伝送する。一方、受信機３は伝送媒体２を介して伝送された情報信号を受信する入力段６ａを有している。この入力段６ａは主データと副データとを分離する。そして、主データは主データを処理するための通常の形式の主データ処理ユニット７に供給される。一方、副データは副データを処理するための副データ処理ユニット８に供給される。この副データ処理ユニット８は、コード化テキスト行と、それらに対応する制御コードとを、例えば１２桁の表示ユニットのような限られた数の文字位置（桁）を持つ１行表示ユニット１０の表示制御回路９に供給する。この表示制御回路９は、前記のコード化テキスト行に含まれる文字コードにより規定される文字の表示を当該コード化テキスト行に含まれる制御コードに応じて制御する。
【００２０】
当該情報伝送システムは副データがパケットの形に配列される形式のシステムとすることができる。これらパケットにはコード化テキスト行を含めることができる。以下、コード化テキスト行を含むパケットをテキストパケットと呼ぶ。各コード化テキスト行は一連の所定数のコードからなる。本発明によれば、上記のコード化テキスト行は表示すべき文字を規定する文字コードと、完全なテキスト行を一度に表示するには充分でない桁数の一行表示器上への文字列の表示を制御する制御コードとを有している。以下、コード化テキスト行に含まれる制御コードを直列制御コードと呼ぶ。なお、前記パケットはコード化テキスト行に含まれない付加的なコードを有してもよい。以下、これらの制御コードは並列制御コードと呼ぶ。パケットの適切なフォーマットについてはヨーロッパ特許出願第ＥＰ−Ａ−０３２５３２５号及びＥＰ−Ａ−０３８９６８９号公報に詳細に説明されているので、これらの文献を参照されたい。前記伝送媒体２は、デジタル主（オーディオ）データが記録され且つコード化テキスト行を伴うパケットがいわゆるＲ〜Ｗサブコードチャンネルに含まれるようなコンパクトディスクであってもよい。また、伝送媒体２は圧縮されたオーディオ情報の形態の主データと、副データとが磁気テープ上に記録されるようないわゆるデジタルコンパクトカセットにより形成してもよい。この場合、コードかテキスト行を含むパケットはデジタルコンパクトカセットに記録されたサブデータに含ませることができる。デジタルコンパクトカセットに関しての詳細は、ヨーロッパ特許出願第ＥＰ−Ａ−０４３６９９１号に記載されているので、その文献を参照されたい。図５は、一例として、ヨーロッパ特許出願第ＥＰ−Ａ−０４３６９９１号に記載されたデジタルコンパクトカセットのサブデータフォーマット中にパケットがどの様に含まれているかを示している。
【００２１】
前記伝送媒体２はデジタルオーディオ信号と、コード化テキスト行を含むパケットとが伝送されるようなデジタルオーディオ用の放送チャンネルにより形成される場合もある。そのような放送システムの詳細に関しては、ヨーロッパ特許出願第ＥＰ−Ａ−０３８９６８９号を参照されたい。
【００２２】
図２はテキストパケットの好適なフォーマットを示している。この図示したパケットは各々が８ビットの４８バイトを含んでいる。この場合、最初の８バイトは並列制御コードの伝送用に使用される。これら並列制御コードは位置コード２１ＰＣ及び２ＰＣを含んでいる。位置コード２１ＰＣは、２１行表示器上の対応するテキス　ト行が表示されるべき行位置を示している。位置コード２ＰＣは２行表示器が使用　された場合の対応するテキスト行の行位置を示している。並列制御コードは受信されたテキストパケットから特定のテキストパケットを選択する場合に使用される３つの制御コードも含んでいる。これらの制御コードはＬＮ（言語番号）、ＡＣ（アプリケーションコード）及びＴＣ（トピックコード）として示されている。この場合、コードＬＮは対応するテキストパケットにおけるコード化テキストの言語を示している。また、コードＡＣはコード化テキスト行が１行表示ユニット１０に表示すべき情報を有しているか否かを示している。また、コードＴＣは対応するコード化テキスト行が関係するトピックを示している。そのようなトピックとしては、例えば、「アルバム情報」、「演奏者名」叉は「再生される歌のテキスト」等がある。
【００２３】
このテキストパケットにおいては、４０個のバイト（バイト８ないしバイト４７）がコード化テキスト行のコードＴＬＣ０、…、ＴＬＣ４０を伝送するために使用され　る。これらコードは文字セットにおける文字を規定する文字コードを含むことができる。また、これらコードは表示器を制御するための直列制御コードを含むこともできる。図１０はコード値（１６進）と対応する文字との間の関係を例示している。この場合、欄０ｘ、１ｘ、８ｘ及び９ｘは制御コード用に確保されている。また、図４は当該実施例に使用される直列制御コードの概略を示している。この図には文字列を表示する場合に使用される文字コード群に目印を付けるための２個のマーキングコードが示されている。これらのマーキングコードは、１行表示ユニット１０上に表示すべき文字列の始点を示すために使用される開始制御コードＳと、１行表示ユニット１０上に表示すべき文字列の終点を示すために使用される制御コード（ポーズ制御コード）Ｐとを含んでいる。コード値１９，１Ａ、１Ｂ及び１Ｃを持つスクロール制御コードＨ０、Ｈ１、Ｈ２及びＨ３は４つの異なるスクロール速度で水平スクロールを開始するために各々使用される。
【００２４】
図６は前記副データ処理ユニット８の一実施例を示している。このユニット８はシフトレジスタ６０の形態のメモリを有し、このシフトレジスタには前記入力段６ａから入力されるパケットのバイトが通常の形式のタイミング制御ユニット６１から供給されるクロック信号ＣＬ１に同期してシフト入力される。このユニッ　ト８には更にコード一致検出回路６２、６３及び６４が設けられている。コード一致検出回路６２及び６４には、例えば選択キーを有する操作パネルのような通常の形式のユーザ選択入力ユニット６８からの言語選択コードＬＮ及びトピック選択コードＴＣ用のユーザが選択した値を入力するための入力端子６６及び６７が設けられている。コード一致検出回路６３は、対応するコード化テキスト行が１行表示ユニット１０上に表示すべき情報を有していることを示すアプリケーションコードＡＣに対応するコード値を入力する入力端子７２を有している。コード一致検出回路６２、６３及び６４の入力端子６９、７０及び７１は、入力されたテキストパケットの最初のバイトがシフトレジスタ６０の直列出力端子６５に到達した時点でコードＬＮ、ＡＣ及びＴＣがこれらコード一致検出回路６２、６３及び６４に各々供給されるように、シフトレジスタ６０の並列出力端子に結合されている。また、これらコード一致検出回路６２、６３及び６４には、これら回路の入力端子上のコード値の一致が検出された場合に、対応する検出信号をゲート回路７６に供給する出力端子７３、７４及び７５が設けられている。ゲート回路７６は、タイミング制御ユニット６１の制御の下で３個の全てのコード一致検出回路６２、６３及び６４により一致が検出された後でシフトレジスタ６０の出力端子６５にコード化テキスト行のコードが存在する間ロード信号ＶＬを発生する。このロード信号ＬＶは２入力アンドゲート９６の一方の入力端子に供給される。また、前記クロック信号ＣＬ１が当該アンドゲート９６の他方の入力端子に　供給されるようになっており、したがって当該アンドゲート９６の出力端子上にはロード信号ＶＬが発生されている間だけクロック信号ＣＬ２が得られる。そして、このクロック信号ＣＬ２と前記ロード信号ＶＬの両方が前記表示制御ユニット９　に供給されるようになっている。
【００２５】
上記副データ処理ユニット８は以下のように動作する。即ち、並列制御コードＬＮ及びＴＣがユーザが選択した値と一致すると同時に、並列制御コードＡＣが対応するテキストパケット内のコード化テキスト行が１行表示ユニット１０に表示すべき情報を有していることを示している場合は、このコード化テキスト行の最初のコードがシフトレジスタ６０の出力端子６５に到達するやいなやゲート回路７６がロード信号ＶＬを発生し始める。なお、次のテキストパケットの最初の並列制御コードが上記出力端子６５に到達するやいなや上記ロード信号ＶＬの発生は停止される。
【００２６】
図７は表示制御ユニット９と１行表示ユニット１０とを示している。表示制御ユニット９はコード化テキスト行におけるコードの数と等しい数の連続したバイト記憶位置を持つシフトレジスタ８０を有している。このシフトレジスタ８０は入力端子８１に入力されたコードを、前記タイミング制御ユニットからオアゲート９５を介して供給されるクロック信号ＣＬ２か叉は可変発信周波数のクロック発生器９４から供給されるクロック信号ＣＬＣＲの何れかに同期して、当該シフトレジスタを介して出力端子８６にシフトする。上記入力端子８１は２入力マルチプレックス回路８２に結合されている。このマルチプレックス回路の第１入力端子８３は信号路８４を介して前記副データ処理ユニット８におけるシフトレジスタ６０の出力端子６５に結合されている。マルチプレックス回路８２の第２入力端子８５はシフトレジスタ８０の出力端子８６に結合されている。そして、当該マルチプレックス回路８２の出力端子９７がシフトレジスタ８０の入力端子８１に結合されている。このマルチプレックス回路８２は信号線８７を介して当該マルチプレックス回路の制御入力端子に供給されるロード信号ＶＬにより制御される。この信号ＶＬが次のコード化テキスト行が信号路８４上にあることを示す場合は、このコード化テキスト行のコードが当該マルチプレックス回路８２を介してシフトレジスタ８０の入力端子８１に供給される。これと同時に、シフトレジスタ８０はクロック信号ＣＬ２を入力するので、前記出力端子６５上のこのコード化テキスト行のコードがクロック信号ＣＬ２に同期してシフトレジスタ８０にシフト入力される。また、ロード信号ＶＬが１行表示ユニット１０に表示すべき情報を伴うコード化テキスト行のコードが無いことを示す場合は、シフトレジスタ８０の出力端子８６上のコードがマルチプレックス回路８２を介してその入力端子８１に供給される。
【００２７】
表示制御ユニット９には更にマルチプレックス回路８２の出力端子９７に結合された入力端子を持つコード検出回路８７が設けられている。このコード検出回路８７はマルチプレックス回路８２の出力端子９７上のコードが直列制御コードか叉はスペースを示す文字コードに一致するか否かを検出する通常の形式のものである。そして、この検出回路８７は上述したコードの何れかが検出された場合、該当する出力信号を発生する。この検出回路により発生される出力信号は、検出された制御コードが開始コードＳ、ポーズコードＰ叉はスクロール制御コードＨ０、Ｈ１、Ｈ２叉はＨ３の内の何れかに対応する場合には、どの形式の制御コードが検出されたかを示す。これらの出力信号は信号線８８を介してゲート回路８９に供給される。更に、前記ロード信号ＶＬがゲート回路８９に供給されている。
【００２８】
ゲート回路８９の他の入力端子は、ユーザが入力するスクロール命令を入力するために、ユーザ選択入力ユニット６８の出力端子に結合されている。ゲート回路８９は入力端子に入力された前記各信号から表示ユニット１０用の制御信号を抽出する。第１の制御信号ＬＤの発生は、前記ロード信号ＶＬの発生の開始後、スペースコードでない最初の文字コードの検出に応答して開始される。この制御信号ＬＤの発生は開始制御コードＳの検出に応答しても開始される。この制御信号ＬＤの発生はポーズ制御コードＰの検出に応答して停止される。更に制御信号ＬＤは、各ポーズ制御コードＰに対して「スペース」文字が表示されるように、ポーズ制御コードＰの検出の間にも発生される。制御信号ＬＤは１行表示ユニット１０における１２桁表示器９１の次の空きの文字位置に文字が表示されるべきであることを示す。第２の制御信号ＳＣは、スクロール制御コードＨ０、Ｈ１、Ｈ２叉はＨ３の何れかの検出、叉はユーザの入力したスクロール命令に応答して発生される。この制御信号ＳＣは、シフトレジスタ８０により出力される連続したコードに対応する文字の表示器９１上での水平スクロールが要求されていることを示す。ロード信号ＶＬに応答して発生される第３の制御信号ＲＳは、表示器９１がクリアされるべきであることを示す。この制御信号ＲＳはコード化テキスト行における開始制御コードＳの最初の検出に応答しても発生される。更に、前記制御信号ＳＣの発生はロード信号ＶＬに応答して停止され、また前記制御信号ＬＤの発生はロード信号ＶＬに応答して開始される。第４の制御信号ＳＳは所望のスクロール速度を示す。
【００２９】
前記マルチプレックス回路８２の出力端子９７はデコーダユニット９２の入力端子にも結合されている。このデコーダユニット９２には表示されるべき文字の文字コードを記憶するシフトレジスタが設けられている。更に、このデコーダユニット９２には上記シフトレジスタに記憶された文字コードを表示器９１の各桁用の制御信号に変換するデコーダが設けられている。このデコーダは、ポーズ制御コードＰのような文字を規定しない直列制御コードに対してはスペースを表示させるような通常の形式のものである。デコーダユニット９２のシフトレジスタは、制御信号ＳＣに応答して当該シフトレジスタを介して文字コードをシフトさせ、これにより表示器９１上で文字を水平スクロールさせるような通常の形式のものである。シフトレジスタ８０及びデコーダユニット９２のシフトレジスタを介するコードのシフトは、クロック発生器９４により制御される。クロック発生器９４への信号ＳＳがない場合は、当該クロック発生器からのクロック信号の出力は不能化される。信号ＳＳがある場合は、クロック信号の出力は可能とされ、信号ＳＳの信号値により規定される周波数のクロック信号がデコーダユニット９２におけるシフトレジスタのクロック入力端子へ直接に、またシフトレジスタ８０に対してはオアゲート９５を介して供給される。前記信号ＳＣがない場合はデコーダユニット９２のシフトレジスタは静止状態とされ、文字をアドレス発生回路９３によりアドレスされる記憶位置にロードすることができる。このアドレス発生回路９３は、デコーダユニット９２内のシフトレジスタの次の空の記憶位置を示すような通常の形式のものである。全ての利用可能な記憶位置がコードの記憶に使用された場合は、新たに供給されるコードはもはやロードされない。
【００３０】
上記表示制御ユニット９及び１桁表示ユニット１０の動作を以下に説明する。ロード信号ＶＬが出力端子６５上に次のコード化テキスト行のコードがあることを示す場合は、マルチプレックス回路８２はこの出力端子６５上のコードがシフトレジスタ８０の入力端子８１に供給されるような状態にされる。結果として、上記のコード化テキスト行の全てのコードがシフトレジスタ８０にシフト入力される。これらのコードはコード検出回路８７とデコーダユニット９２の入力端子とにも供給される。
【００３１】
コード検出回路８７は、表示ユニット１０におけるデコーダユニット９２の入力端子に供給されたコードの形式を示す信号をゲート回路８９に供給する。ここで、ゲート回路８９はスペース文字でない最初の文字コードの検出に応答してロード信号ＬＤを発生し始めるから、デコーダユニット９２はそのシフトレジスタへの文字のロードを最初の記憶位置から開始し、頭の各スペースコード及び図４に示された制御コードでない制御コードはロードされない。このロード過程を図８のａに図示した。この図は４０個のコードのコード化テキスト行を示し、各コードにより規定される文字で図示されている。また、スペースコードは「−」なる記号で図示されている。また、このコード化テキスト行の入力の１２桁表示器９１に対する結果が図中の窓１００内に示されている。この場合、表示器９１は上　記のテキスト行における位置２ないし１３の文字コードの表示を示している。なお、このテキスト行の最初の位置のスペースは無視されている。
【００３２】
図８のｂは他のコード化テキスト行を示している。このコード化テキスト行は当該テキスト行の位置１８に開始制御コードＳを有している。このコード化テキスト行が前記表示制御ユニット９に供給された場合は、先ず位置３ないし１４のコードにより規定される文字が表示される。しかしながら、上記開始制御コードＳが検出されるやいなや表示器はリセットされ、位置１９ないし３０のコードにより規定される文字が窓１００に表示される。
【００３３】
図９のａは、位置７の開始制御コードＳに位置１３のポーズ制御コードＰが後続するようなコード化テキスト行を示している。このコード化テキスト行は位置１９に別の開始制御コードＳを含んでいる。この結果、最初の開始制御コードＳとポーズ制御コードＰとの間の文字コードにより規定される文字列が表示される。更に、ポーズ制御コードＰが上記文字列の後にスペースを表示させる。そして、位置１９の開始制御コードＳが検出されるやいなや、デコーダユニット９２への文字コードのロードが再開され、当該デコーダユニットの１２個の全ての利用可能な記憶位置が満たされるまで続行される。
【００３４】
図９のｂの最初の位置にスクロール制御コードＨ０を含むコード化テキスト行を示している。このスクロール制御コードの検出に応答して、表示ユニットは水平スクロールモードにされる。当該コード化テキスト行がシフトレジスタ８０に完全にロードされた後、マルチプレックス回路８２はシフトレジスタ８０の出力端子８６のコードが出力端子９７に供給されるような状態となる。クロック発生器９４は前記制御コードＨ０により示される値に対応する周波数に設定される。結果として、当該コード化テキスト行により規定される文字列の水平スクロールが実現される。１２桁表示器９１の後続する時点ｔ１、ｔ２、…、ｔ１４での内容がこの図９のｂに図示されている。当該コード化テキスト行により規定される文字列の完全なスクロールが完了すると、次の水平スクロール過程が開始される。これらの繰り返しスクロール過程はスクロール制御コードを伴わない次のコード化テキスト行が入力されるまで継続される。
【００３５】
入力されたコード化テキスト行の任意のものにより規定されるテキストの表示の水平スクロール過程は、ユーザによるスクロール命令の入力によっても開始させることができる。何故なら、１行表示ユニット１０に表示すべき情報を含む各コード化テキスト行はシフトレジスタ８０内に完全に記憶されているからである。ユーザの入力したスクロール命令に応答して、制御信号ＳＣが発生される。結果としてシフトレジスタ８０中のコード化テキスト行のコードがデコーダユニット９２にシフト入力され、その結果１２桁表示器９１上の対応するテキストのスクロールがなされる。
【００３６】
ここで、上述したのとは異なる他のスクロール方法も可能であることに注意されたい。以下に、例示としてそのような好適なスクロール方法の概要を説明する。
【００３７】
デコーダユニットは頭叉は終わりのスペースをスキップさせるようにしてもよく、叉は表示領域から最後の文字が押し出されるまでスクロールを継続させるようにしてもよい。ソフトスクロール（文字欄単位の）、文字スクロール（文字毎の）叉はワードスクロール（ワード毎の）を使用してもよい。
【００３８】
スクロールを起動するには２つの方法を実施するとよい。即ち、自動とユーザによる命令とである。自動スクロールはコード化テキスト行に「非スクロール」コードが含まれている場合には起動されてはならない。スクロールは自動的に制御されてもよい。このことは全テキストがユーザの介在なしにスクロールされることを意味する。ハードウェアの設計により、種々のスクロール方法を採用することができる。例えば、
−　テキストが繰り返しスクロールされる。
−　最後の文字が表示領域から押し出されるまで、テキストが１回だけスクロールされる。この方法はパックされたインデックス（Ｐａｃｋｅｄ　Ｉｎｄｅｘ）が「００　００ｈ」に等しいようなコード化テキスト行に専ら使用される。
−　テキストが１回だけスクロールされ、その後表示器にはテキストの開始部が再び表示されるようにする。
−　テキストが１回だけスクロールされ、その後表示器には開始制御コードＳとポーズ制御コードＰとにより示されたテキストが表示されるようにする。
−　開始制御コードＳとポーズ制御コードＰとにより示されたテキストが先ずある（装置に依存した）期間だけ表示され、その後上述したスクロール法の何れかが開始する。
【００３９】
スクロールは手動でも制御することができる。このことは、ユーザのスクロール命令が入力されるまで、Ｓ及びＰにより指定されるテキストが表示されることを意味する。ハードウェアの設計によって、ユーザのスクロール命令に対する種々の動作を行わせることができる。例えば、
−　テキストが１回だけスクロールされ、その後テキストの最終部が表示器上に残る。この方法はパックされたインデックス（Ｐａｃｋｅｄ　Ｉｎｄｅｘ）が「００　００ｈ」に等しいようなコード化テキスト行に使用される。
−　テキストが１回だけスクロールされ、その後表示器にはテキストの開始部が再び表示されるようにする。
−　テキストが１回だけスクロールされ、その後表示器には制御コードＳとＰとにより指定されたテキストが表示されるようにする。
【００４０】
上述した受信機の実施例はいわゆるハードウェア結線された回路として実現される。しかしながら、当業者であればプログラム制御された回路により上記実施例を実現することも可能であることは明かである。また、本発明は上述した直列制御コードの使用のみに限定されるものではないことに注意されたい。限られた桁数の１行表示器上の文字列の表示に関する他の直列制御コードの使用もまた可能である。更に、これら直列制御コードに対する表示制御ユニットの応答が異なるものであってもよい。
【００４１】
最後に、上述した表示ユニットは受信機１のリモートコントローラ内に組み込まれるようにしてもよい。
【図面の簡単な説明】
【図１】図１は本発明による情報伝送システムの一実施例の構成を示すブロック図、
【図２】図２は本発明におけるコード化されたテキスト行を伝送するためのパケットの好適なフォーマットを示す概念図、
【図３】図３は図２のパケットに含まれる並列制御コードの一例を示す図表、
【図４】図４は図２のコード化されたテキスト行に含まれる直列制御コードの一例を示す図表、
【図５】図５は図２のようなパケットがデジタルコンパクトカセットの副データにどのように含まれるかを示す概念図、
【図６】図６は本発明による情報伝送システムに使用される副データ処理ユニットの一実施例のブロック図、
【図７】図７は本発明による情報伝送システムに使用される表示制御ユニットの一実施例のブロック図、
【図８】図８のａ及びｂは本発明における種々のコード化されたテキスト行と、これらテキスト行を入力した場合に表示される文字列との例を示す説明図、
【図９】図９のａ及びｂは本発明における種々のコード化されたテキスト行と、これらテキスト行を入力した場合に表示される文字列との他の例を示す説明図、
【図１０】図１０は本発明における文字コードと対応する文字との関係の一例を示す図表である。
【符号の説明】
１…送信機、　　　　　　　　　　２…伝送媒体、
３…受信機、　　　　　　　　　　４…主データの情報源、
５…副データの情報源、　　　　　６…出力段、
６ａ…入力段、　　　　　　　　　　７…主データ処理ユニット、
８…副データ処理ユニット、　　　９…表示制御ユニット、
１０…１行表示ユニット。
【図１】
2004129214.tif 000003
【図２】
2004129214.tif 000004
【図３】
2004129214.tif 000005
【図４】
2004129214.tif 000006
【図５】
2004129214.tif 000007
【図６】
2004129214.tif 000008
【図７】
2004129214.tif 000009
【図８】
2004129214.tif 000010
【図９】
2004129214.tif 000011
【図１０】
2004129214.tif 000012